(57)【要約】【課題】  問い合わせ窓口担当者が過去の類似問い合わせ事例を効率的に探したり、マーケティング担当者が、問い合わせデータを分類してパレート図を効率的に作成できるための、データの全体像把握が可能なキーワード分類装置を構築する。【解決手段】  キーワード抽出部４０は、文書保持部１０に保持された複数の問い合わせデータからキーワードとなる名詞句を抽出し、キーワード記憶部５０に記憶する。共起表現抽出部６０は、前記複数の問い合わせデータから前記抽出されたキーワードの名詞句に共起する述語句を抽出し、共起表現記憶部７０に記憶する。分類部８０は、前記複数の問い合わせデータをキーワード記憶部５０に記憶された名詞句によるキーワードで第１カテゴリに分類し、かつ第１カテゴリに所属する文書を共起表現記憶部７０に記憶された前記名詞句によるキーワードに対応する述語句で第２カテゴリに分類し、表示装置３に表示する。【選択図】  図１
2006065366.tif 000002
【特許請求の範囲】
【請求項１】
分類対象とする複数の文書を保持する文書保持部と、
前記複数の文書からキーワードとなる名詞句を抽出するキーワード抽出部と、
前記抽出されたキーワードを記憶するキーワード記憶部と、
前記複数の文書から前記抽出されたキーワードの名詞句に共起する述語句を抽出する共起表現抽出部と、
前記抽出されたキーワードの名詞句とそれに対応する前記述語句とを記憶する共起表現記憶部と、
前記複数の文書を前記キーワード記憶部に記憶された名詞句によるキーワードで第１カテゴリに分類し、かつ第１カテゴリに所属する文書を前記共起表現記憶部に記憶された前記名詞句によるキーワードに対応する述語句で第２カテゴリに分類する分類部とを備えることを特徴とするキーワード分類装置。
【請求項２】
前記分類部は、第１カテゴリに文書集合を分類する場合において、ある文書内に名詞句による複数のキーワードが存在する場合に、名詞句の優先度が最も高い名詞句で文書を分類することを特徴とする請求項１記載のキーワード分類装置。
【請求項３】
前記分類部は、第１カテゴリに文書集合を分類する場合において、ある文書内に名詞句による複数のキーワードが存在する場合に、文書集合全体での名詞句の総出現頻度が最も高い名詞句で文書を分類することを特徴とする請求項１記載のキーワード分類装置。
【請求項４】
前記分類部は、第１カテゴリに文書集合を分類する場合において、ある文書内に名詞句による複数のキーワードが存在する場合に、文書集合全体での名詞句の後ろ近傍に出現する助詞によって決まる重みの総和が最も高い名詞句で文書を分類することを特徴とする請求項１記載のキーワード分類装置。
【請求項５】
前記分類部は、前記分類結果を表示装置に出力する場合において、カテゴリに所属する文書集合のうち出現頻度が高い名詞句でありかつ第１カテゴリの名詞句以外の名詞句をカテゴリをあらわす代表語として最初に表示しておき、いずれかの代表語を選択する指示が入力装置から入力されたとき、そのカテゴリに所属する代表語を含む文書集合を別の場所に表示することを特徴とする請求項１記載のキーワード分類装置。
【請求項６】
分類対象とする複数の文書を保持する文書保持部と、
前記複数の文書からキーワードとなる名詞句を抽出するキーワード抽出部と、
前記抽出されたキーワードを記憶するキーワード記憶部と、
前記キーワード記憶部に記憶されたキーワード毎にそれに類似するキーワードを抽出する類似キーワード検索部と、
前記抽出された類似キーワードを記憶する類似キーワード記憶部と、
前記複数の文書を前記キーワード記憶部に記憶された名詞句によるキーワードでカテゴリに分類し、その結果を出力する際に、カテゴリの名詞句と類似キーワード記憶部に記憶されたその名詞句に類似する名詞句による類似キーワードとをあわせて表示装置に出力する分類部とを備えたことを特徴とするキーワード分類装置。
【請求項７】
前記複数の文書から前記抽出されたキーワードの名詞句に共起する述語句を抽出する共起表現抽出部と、
前記抽出されたキーワードの名詞句とそれに対応する前記述語句とを記憶する共起表現記憶部とを備え、
前記類似キーワード検索部は、前記キーワード記憶部に記憶されたキーワード毎に、そのキーワードの名詞句に共起する述語句と同じ述語句が前記共起表現記憶部に記憶されている他の名詞句のキーワードを類似キーワードとして抽出するものであることを特徴とする請求項６記載のキーワード分類装置。
【請求項８】
請求項１ないし７の何れか１項に記載されたキーワード分類装置と該キーワード分類装置で分類された結果を表示する表示装置とを備え、前記文書保持部に企業のコンタクトセンターあるいは自治体の問い合わせ窓口に寄せられた過去の問い合わせデータが記録されている端末装置。
【請求項９】
請求項１ないし５の何れか１項に記載されたキーワード分類装置と該キーワード分類装置の分類結果からパレート図を作成する図形作成装置とを備え、前記文書保持部に企業のコンタクトセンターあるいは自治体の問い合わせ窓口に寄せられた過去の問い合わせデータが記録されている端末装置。
【請求項１０】
ａ）キーワード抽出部が、文書保持部に保持された分類対象とする複数の文書からキーワードとなる名詞句を抽出し、キーワード記憶部に記憶するステップ、
ｂ）共起表現抽出部が、前記複数の文書から前記抽出されたキーワードの名詞句に共起する述語句を抽出し、前記抽出されたキーワードの名詞句とそれに対応する前記述語句とを共起表現記憶部に記憶するステップ、
ｃ）分類部が、前記複数の文書を前記キーワード記憶部に記憶された名詞句によるキーワードで第１カテゴリに分類し、かつ第１カテゴリに所属する文書を前記共起表現記憶部に記憶された前記名詞句によるキーワードに対応する述語句で第２カテゴリに分類するステップ、
を含むことを特徴とするキーワード分類方法。
【請求項１１】
ａ）キーワード抽出部が、文書保持部に保持された分類対象とする複数の文書からキーワードとなる名詞句を抽出し、キーワード記憶部に記憶するステップ、
ｂ）類似キーワード検索部が、前記キーワード記憶部に記憶されたキーワード毎にそれに類似するキーワードを抽出し、類似キーワード記憶部に記憶するステップ、
ｃ）分類部が、前記複数の文書を前記キーワード記憶部に記憶された名詞句によるキーワードでカテゴリに分類し、その結果を出力する際に、カテゴリの名詞句と前記類似キーワード記憶部に記憶されたその名詞句に類似する名詞句による類似キーワードとをあわせて表示装置に出力するステップ、
を含むことを特徴とするキーワード分類方法。
【請求項１２】
分類対象とする複数の文書を保持する文書保持部、抽出されたキーワードを記憶するキーワード記憶部および抽出された述語句を記憶する共起表現記憶部を有するキーワード分類装置を構成するコンピュータを、
前記文書保持部に保持された分類対象とする複数の文書からキーワードとなる名詞句を抽出し、前記キーワード記憶部に記憶するキーワード抽出手段、
前記複数の文書から前記抽出されたキーワードの名詞句に共起する述語句を抽出し、前記抽出されたキーワードの名詞句とそれに対応する前記述語句とを前記共起表現記憶部に記憶する共起表現抽出手段、
前記複数の文書を前記キーワード記憶部に記憶された名詞句によるキーワードで第１カテゴリに分類し、かつ第１カテゴリに所属する文書を前記共起表現記憶部に記憶された前記名詞句によるキーワードに対応する述語句で第２カテゴリに分類する分類手段、
として機能させるプログラム。
【請求項１３】
分類対象とする複数の文書を保持する文書保持部、抽出されたキーワードを記憶するキーワード記憶部および抽出された類似キーワードを記憶する類似キーワード記憶部を有するキーワード分類装置を構成するコンピュータを、
前記文書保持部に保持された分類対象とする複数の文書からキーワードとなる名詞句を抽出し、前記キーワード記憶部に記憶するキーワード抽出手段、
前記キーワード記憶部に記憶されたキーワード毎にそれに類似するキーワードを抽出し、前記類似キーワード記憶部に記憶する類似キーワード検索手段、
前記複数の文書を前記キーワード記憶部に記憶された名詞句によるキーワードでカテゴリに分類し、その結果を出力する際に、カテゴリの名詞句と前記類似キーワード記憶部に記憶されたその名詞句に類似する名詞句による類似キーワードとをあわせて表示装置に出力する分類手段、
として機能させるプログラム。
【発明の詳細な説明】
【技術分野】
【０００１】
本発明はキーワード分類装置および方法に関し、特に名詞句によるキーワードのカテゴリ内に、そのキーワード（名詞句）に対する述語句によるキーワードのサブカテゴリを作成するキーワード分類装置および方法、ならびに、カテゴリのキーワードにあわせて、そのキーワードに類似するキーワードをまとめて閲覧できるように表示するキーワード分類装置および方法に関する。
【背景技術】
【０００２】
例えば、企業のコンタクトセンター（お客様相談室）や自治体の問い合わせ窓口などには質問、要望、トラブルといったさまざまな問い合わせが多数寄せられる。問い合わせデータを蓄積し検索しやすくすることで、コンタクトセンターの業務効率を改善したり、問い合わせデータの分析結果を製品開発等のマーケティングに利用したりすることが重要になってきている。
【０００３】
このような問い合わせデータの蓄積を有効活用するために、問い合わせデータをカテゴリに分類してパレート図を作成する方法がある。パレート図は、カテゴリごとのデータの件数を棒グラフで表示したもので、データの全体像を把握するために有効である。
【０００４】
複数のデータをカテゴリに分類する方法として、データから重要キーワードを抽出して、そのキーワードをカテゴリとしてデータを分類する方法がある（キーワード分類方式）。例えば非特許文献１では、分類対象となるニュース原稿の形態素解析を行って原稿に含まれる名詞と動詞を全て抽出した後に各抽出単語の重要度を決定し、次に、その重要度をもとにニュース原稿にクラスタリングを行って類似した原稿の集まりであるクラスタを生成し、最後に、クラスタがあらわす話題が何であるか特徴付ける名詞句を抽出して、話題の候補としている。また特許文献１、２では、格助詞に注目し言語学的に主題を示す重要文節から単語をキーワードとして抽出している。
【０００５】
キーワード分類方式によって問い合わせデータを分類した例を図２１に示す。この例では、「スイッチ」、「Ａ４+用紙」、「電源+スイッチ」、「活字」を各カテゴリとして問い合わせデータを分類し、あわせて各カテゴリに属するデータ数を表示している。
【特許文献１】特開平３−１３５６６９号公報
【特許文献２】特許第２５８３３８６号公報
【非特許文献１】山田一郎, 金淵培, 柴田正啓, "ニュース原稿を利用した話題抽出とニュース話題選択の個人化の検討",［online］、「知識発見のための自然言語処理」シンポジウム,［平成１６年８月１６日検索］、インターネット＜URL:http://cl.aist-nara.ac.jp/lab/kura/papers/misc/NLP_Sympo99/yamada/yamada.html＞
【発明の開示】
【発明が解決しようとする課題】
【０００６】
従来のキーワード分類方式には、以下の３つの問題がある。
【０００７】
第１の問題点は、カテゴリに含まれる問い合わせデータの数が増えるに従って、問い合わせデータの検索や問い合わせデータの全体像把握が効率的に行えなくなることである。例えば、図２１では、「スイッチ」のカテゴリに合計５８件の問い合わせデータが分類されているため、スイッチというキーワードを含む問い合わせデータの中から真に必要なデータを探し出すのは容易でない。このような場合、カテゴリをさらにサブカテゴリに分類すれば良いが、カテゴリのキーワードとサブカテゴリのキーワードに関係がないと殆ど無意味であるため、問い合わせデータの検索や問い合わせデータの全体像把握が効率的に行えるようなサブカテゴリを如何に定めるかが重要である。
【０００８】
第２の問題点は、従来のキーワード分類方式は、「価格」と「値段」、「電源」と「電源+スイッチ」のようにお互いに類似する別のカテゴリが存在する場合に、それらが別々に表示され、類似カテゴリが存在することがユーザにわからず問い合わせデータの全体像把握が効率的に行えないことである。
【０００９】
第３の問題点は、第１の問題点および第２の問題点が原因で、問い合わせ窓口担当者が過去の類似問い合わせ事例を探すのに時間がかかり、問い合わせ処理に支障をきたしていた。同じようにマーケティング担当者が、問い合わせデータを分類してパレート図を作成するのに時間がかかり、重要な情報を製品部門へ伝達するのが遅れていたことである。
【００１０】
本発明の第１の目的は、名詞句によるキーワードのカテゴリ内に、そのキーワード（名詞句）に対する述語句によるキーワードのサブカテゴリを作成することにより、データの全体像把握を容易にするキーワード分類装置および方法を提供することにある。
【００１１】
本発明の第２の目的は、カテゴリのキーワードにあわせて、そのキーワードに類似するキーワードをまとめて閲覧できるように表示することで、データの全体像把握を容易にするキーワード分類装置および方法を提供することにある。
【００１２】
本発明の第３の目的は、データの全体像把握が可能なキーワード分類装置により問い合わせ窓口担当者が過去の類似問い合わせ事例を効率的に探したり、マーケティング担当者が、問い合わせデータを分類してパレート図を効率的に作成できるようにすることにある。
【課題を解決するための手段】
【００１３】
本発明の第１のキーワード分類装置は、分類対象とする複数の文書を保持する文書保持部と、前記複数の文書からキーワードとなる名詞句を抽出するキーワード抽出部と、前記抽出されたキーワードを記憶するキーワード記憶部と、前記複数の文書から前記抽出されたキーワードの名詞句に共起する述語句を抽出する共起表現抽出部と、前記抽出されたキーワードの名詞句とそれに対応する前記述語句とを記憶する共起表現記憶部と、前記複数の文書を前記キーワード記憶部に記憶された名詞句によるキーワードで第１カテゴリに分類し、かつ第１カテゴリに所属する文書を前記共起表現記憶部に記憶された前記名詞句によるキーワードに対応する述語句で第２カテゴリに分類する分類部とを備えることを特徴とする。
【００１４】
本発明の第１のキーワード分類方法は、ａ）キーワード抽出部が、文書保持部に保持された分類対象とする複数の文書からキーワードとなる名詞句を抽出し、キーワード記憶部に記憶するステップ、ｂ）共起表現抽出部が、前記複数の文書から前記抽出されたキーワードの名詞句に共起する述語句を抽出し、前記抽出されたキーワードの名詞句とそれに対応する前記述語句とを共起表現記憶部に記憶するステップ、ｃ）分類部が、前記複数の文書を前記キーワード記憶部に記憶された名詞句によるキーワードで第１カテゴリに分類し、かつ第１カテゴリに所属する文書を前記共起表現記憶部に記憶された前記名詞句によるキーワードに対応する述語句で第２カテゴリに分類するステップ、を含むことを特徴とする。
【００１５】
このような構成を有する本発明の第１のキーワード分類装置及び方法にあっては、キーワード抽出部によって抽出された名詞句で分類されたカテゴリ内に、共起表現抽出部によって抽出された名詞句に対する述語句で文書を分類したサブカテゴリを作成することにより第１の目的を達成できる。
【００１６】
本発明の第２のキーワード分類装置は、分類対象とする複数の文書を保持する文書保持部と、前記複数の文書からキーワードとなる名詞句を抽出するキーワード抽出部と、前記抽出されたキーワードを記憶するキーワード記憶部と、前記キーワード記憶部に記憶されたキーワード毎にそれに類似するキーワードを抽出する類似キーワード検索部と、前記抽出された類似キーワードを記憶する類似キーワード記憶部と、前記複数の文書を前記キーワード記憶部に記憶された名詞句によるキーワードでカテゴリに分類し、その結果を出力する際に、カテゴリの名詞句と類似キーワード記憶部に記憶されたその名詞句に類似する名詞句による類似キーワードとをあわせて表示装置に出力する分類部とを備えたことを特徴とする。
【００１７】
本発明の第２のキーワード分類方法は、ａ）キーワード抽出部が、文書保持部に保持された分類対象とする複数の文書からキーワードとなる名詞句を抽出し、キーワード記憶部に記憶するステップ、ｂ）類似キーワード検索部が、前記キーワード記憶部に記憶されたキーワード毎にそれに類似するキーワードを抽出し、類似キーワード記憶部に記憶するステップ、ｃ）分類部が、前記複数の文書を前記キーワード記憶部に記憶された名詞句によるキーワードでカテゴリに分類し、その結果を出力する際に、カテゴリの名詞句と前記類似キーワード記憶部に記憶されたその名詞句に類似する名詞句による類似キーワードとをあわせて表示装置に出力するステップ、を含むことを特徴とする。
【００１８】
このような構成を有する本発明の第２のキーワード分類装置および方法は、キーワード抽出部によって抽出された名詞句のキーワードにあわせて、類似キーワード検索部によって検索された類似キーワードをまとめて閲覧できるように表示するため、データの全体像把握が容易になり、第２の目的を達成することができる。
【００１９】
本発明の第１の端末装置は、第３の目的を達成するために、本発明の第１または第２のキーワード分類装置と該キーワード分類装置で分類された結果を表示する表示装置とを備え、前記文書保持部に企業のコンタクトセンターあるいは自治体の問い合わせ窓口に寄せられた過去の問い合わせデータが記録されていることを特徴とする。
【００２０】
本発明の第２の端末装置は、第３の目的を達成するために、本発明の第１のキーワード分類装置と該キーワード分類装置で分類結果からパレート図を作成する図形作成装置とを備え、前記文書保持部に企業のコンタクトセンターあるいは自治体の問い合わせ窓口に寄せられた過去の問い合わせデータが記録されていることを特徴とする。
【発明の効果】
【００２１】
本発明の効果は、データの全体像の把握が容易になることである。その理由は、キーワード抽出部によって抽出された名詞句で分類されたカテゴリ内に、共起表現抽出部によって抽出された名詞句に対する述語句で文書を分類したサブカテゴリを作成する分類部を備えているからである。もう一つの理由は、キーワード抽出部によって抽出された名詞句のキーワードにあわせて、類似キーワード検索部によって検索された類似キーワードをまとめて閲覧できるように表示する分類部を備えているからである。
【００２２】
本発明の別の効果は、問い合わせ窓口担当者が過去の類似問い合わせ事例を効率的に探したり、マーケティング担当者が、問い合わせデータを分類してパレート図を効率的に作成できることにある。その理由は、キーワード抽出部によって抽出された名詞句で分類されたカテゴリ内に、共起表現抽出部によって抽出された名詞句に対する述語句で文書を分類したサブカテゴリを作成する分類部を備えているからである。もう一つの理由は、キーワード抽出部によって抽出された名詞句のキーワードにあわせて、類似キーワード検索部によって検索された類似キーワードをまとめて閲覧できるように表示する分類部を備えているからである。
【発明を実施するための最良の形態】
【００２３】
「第１の実施の形態」
図１を参照すると、本発明の第１の実施の形態は、文書を記憶する磁気ディスク等の文書記憶部１と、プログラム制御により動作するデータ処理装置２と、ディスプレイ装置等の表示装置３と、キーボードやマウス等の入力装置４とを備える。
【００２４】
データ処理装置２は、文書保持部１０と、形態素解析部２０と、係り受け解析部３０と、キーワード抽出部４０と、キーワード記憶部５０と、共起表現抽出部６０と、共起表現記憶部７０と、分類部８０と、分類結果記憶部９０とを備える。
【００２５】
文書保持部１０は、文書記憶部１に記憶された日本語の自然言語の文書を入力して保持するメモリ等である。文書は１文以上の文から構成されている。図３に、文書保持部１０に保持されている日本語の自然言語の文章の例を示す。各文書は、当該文書を一意に識別するための文書ＩＤと文書内容（テキスト）とで構成される。文書保持部１０に保持される文書の例として、企業のコンタクトセンターや自治体の問い合わせ窓口に寄せられた過去の大量の問い合わせデータ（それに対する回答データも含む）がある。
【００２６】
形態素解析部２０は、文書保持部１０から文書を受け取り、形態素解析により単語列に分割する。図４に図３の各文書に対する形態素解析部２０の結果を示す。例えば、ＩＤ１の文書は、「知的[名詞]+財産[名詞]+の[助詞-連体化]+情報[名詞]+検索[サ変名詞]+について[格助詞]+知る[動詞]+たい[助動詞]+。[記号]」のように分割している。"[]"内の文字列が単語の品詞、"+"は単語の区切りを意味する。形態素解析部２０による図４に示したような解析結果は、図示しないメモリ等の記憶部に一時的に記憶され、後段の各部により参照される。
【００２７】
係り受け解析部３０は、形態素解析部２０から単語列を受け取り、単語を文節に纏め上げ、その文節間の係り受け関係を求める。図５に図４の形態素解析部２０の各結果に対する係り受け解析部３０の結果を示す。例えば、図３中のＩＤ１の文書については、「知的+財産+の→情報+検索+について」と「情報+検索+について→知る+たい+。」と「 知る+たい+。→ x」の３つの係り受け関係が得られる。"→"の両側が一つの文節を示し、"x"は係り先がないことを示す。また、この図５では品詞情報は冗長になるため省略している。
【００２８】
キーワード抽出部４０は、形態素解析部２０から単語列を受け取り、名詞句をキーワードとして選択し、キーワード（名詞句）が複数選択された場合はキーワード（名詞句）間の優先度を決定する。
【００２９】
図２を参照すると、キーワード抽出部４０の一実施例は、キーワード選択部４０１と、キーワード優先度判定部４０２とを備える。
【００３０】
キーワード選択部４０１は、形態素解析部２０から受け取った単語列からすべての名詞句をキーワードとして選択する。名詞句とは名詞もしくは名詞の連続である。例えば、「情報+検索」「自然+言語+処理」のように複数の名詞の単語が連続する場合は名詞句とする。
【００３１】
キーワード優先度判定部４０２は、キーワード選択部４０１で選択されたキーワード（名詞句）が複数あった場合に、それらのキーワード間の優先度を決定する。優先度の決定方法としては、一つの方法（方法１）として、キーワード（名詞句）の出現頻度によって決定する方法がある。例えば、キーワード選択部４０１で、「情報+検索」と「自然+言語+処理」の２つのキーワードが選択され、「情報+検索」の出現頻度が４回、「自然+言語+処理」が３回出現した場合は、「情報+検索」のほうが「自然+言語+処理」よりも優先度が高いとする。図６の（b）に、図４の形態素解析部２０の結果を元にした、方法１によるキーワード抽出部４０の結果の一例を示す。
【００３２】
また、別の方法（方法２）として、キーワード（名詞句）の出現頻度に、キーワードの後ろ近傍に出現する助詞によって決まる重みを加味して決定する方法がある。ここで取り扱う助詞として、主題を提示する助詞「は」「も」「について」「に関して」「に関する」、主格を提示する助詞「が」、目的格を提示する助詞「を」がある。助詞の重みは、主題を提示する助詞に大きな重みがつくように設定する。例えば、主題を提示する助詞→３、主格を提示する助詞→２、目的格を提示する助詞→１、その他（その他の助詞、助詞不明）→０といったごとくである。このとき、優先度は、キーワードの後ろ近傍に出現する助詞の重みの総和によって決定する。例えば、「情報+検索」と「自然+言語+処理」いうキーワードが選択され、出現頻度は「情報+検索」が４回、「自然+言語+処理」が３回であったとする。「情報+検索」は、「情報検索について」「情報検索は」「情報検索を」「情報検索を」として出現し、「自然+言語+処理」は「自然言語処理から」「自然言語処理する」「自然言語処理について」として出現した場合、「情報+検索」の重みの総和は、３＋３＋１+１＝8、一方「自然+言語+処理」の重みの総和は、０＋０＋３＝３となり、「情報+検索」のほうが「自然+言語+処理」よりも優先度が高いとする。図６の（a）に、図４の形態素解析部２０の結果を元にした、方法２によるキーワード抽出部４０の結果の一例を示す。
【００３３】
キーワード記憶部５０は、キーワード抽出部４０からキーワードとその優先度とそれが含まれる文書ＩＤを受け取り記憶するメモリ等である。このキーワード記憶部５０には、図６（a）、（b）に示したようなキーワード抽出部４０の結果が記憶される。
【００３４】
共起表現抽出部６０は、キーワード記憶部５０よりキーワード（名詞句）を、係り受け解析部３０より文節間の係り受け関係をそれぞれ受け取り、キーワード（名詞句）に共起する述語句を共起表現として選択し、共起表現（述語句）が複数選択された場合は共起表現（述語句）間の優先度を決定する。
【００３５】
図２を参照すると、共起表現抽出部６０の一実施例は、共起表現選択部６０１と、共起表現優先度判定部６０２とを備える。
【００３６】
共起表現選択部６０１は、キーワード記憶部５０に記憶されたキーワード（名詞句）と、係り受け解析部３０で解析された文節間の係り受け関係とを受け取り、キーワード（名詞句）に共起する述語句を共起表現として選択する。ここで、キーワード（名詞句）に共起する述語句とは、キーワード（名詞句）の係り先の文節内の述語句（単語もしくは単語列）を意味する。また、述語句とは、「動詞」「形容詞」「形容動詞」といった品詞の単語、もしくは、この単語を先頭として文節内の特定の単語までの単語列を意味する。特定の単語とは「できる」「すぎる」「やすい」「にくい」「ずらい」「ない」「たい」「ほしい」「か」といった可能、疑問、要望、程度、否定を示す単語を意味する。例えば、「情報検索について知りたい」では「知る」または「知る+たい」がキーワード「情報+検索」に対する共起表現となる。他にも「情報検索を研究する」では「研究」が、「情報検索は面白いですか」では「面白い」または「面白い+です+か」が「情報+検索」に対する共起表現となる。
【００３７】
共起表現優先度判定部６０２は、共起表現選択部６０１で選択された共起表現が複数あった場合に共起表現間の優先度を決定する。優先度の決定方法としては、共起表現の出現頻度によって決定する方法がある。例えば、キーワード「情報+検索」の共起表現として「研究」が３回、「面白い」が４回、選択された場合は、キーワード「情報+検索」の共起表現としては「面白い」が「研究」よりも優先度が高いとする。図７は、図５の係り受け解析部３０の結果と、図６（a）または（b）のキーワード記憶部５０のデータを元にした、キーワード「情報+検索」の共起表現を抽出した結果である。
【００３８】
共起表現記憶部７０は、共起表現抽出部６０からキーワード（名詞句）とその共起表現（述語句）とその優先度とその共起表現を含む文書ＩＤを受け取り保存するメモリ等である。この共起表現記憶部７０には、図７に示したような共起表現抽出部６０の結果が記憶される。
【００３９】
分類部８０は、文書保持部１０に保持された文書集合をキーワード記憶部５０に記憶されたキーワード（名詞句）で第１カテゴリに分類し、次に第１カテゴリに所属する文書を、共起表現記憶部７０に記憶された前記キーワード（名詞句）に共起する述語句で第２カテゴリに分類し、その結果を分類結果記憶部９０に保存し、また分類結果記憶部９０に保存された分類結果を表示装置３に出力する。
【００４０】
分類部８０において、第１カテゴリに文書集合を分類する場合において、ある文書内に複数のキーワード（名詞句）が存在する場合は、（1）すべてのキーワード（名詞句）で分類する、（2）優先度が最も高いキーワード（名詞句）だけで分類する、の２通りの方法がある。（1）の方法の場合は、一つの文書が複数のカテゴリ（名詞句）に所属する場合があり、（2）の方法の場合は、一つの文書は一つのカテゴリ（名詞句）にのみ所属する。同様に、あるカテゴリに属する文書集合をサブカテゴリに分類する場合において、ある文書内に複数の共起表現（述語句）が存在する場合は、（1）すべての共起表現（述語句）で分類する、（2） 優先度が最も高い共起表現（述語句）だけで分類する、の２通りの方法がある。（1）の方法の場合は、一つの文書が複数のサブカテゴリ（述語句）に所属する場合があり、（2）の方法の場合は、一つの文書は一つのサブカテゴリ（述語句）にのみ所属する。
【００４１】
図８に分類部８０が分類結果記憶部９０に記憶した分類結果を表示装置３に出力する方法の一例を示す。この図８の出力方法では、所属する文書数の多い順に第１カテゴリの名詞句が上から順に並べられ、かつ第２カテゴリである述語句はそれに所属する文書数の多い順に上から並べられ、全体として表形式で表示されている。他の方法として、名詞句の優先度順に第１カテゴリの名詞句を並べ、かつ述語句の優先度順に第２カテゴリの述語句を並べるようにしてもよい。
【００４２】
さらに図８の出力方法では、サブカテゴリに所属する文書集合内で出現頻度が高い第１カテゴリの名詞句以外の名詞句をサブカテゴリをあらわす代表語として最初に表示しておき、代表語をユーザが選択するとそのサブカテゴリに所属するその代表語を含む文書集合を別の場所（別ウィンドウ）に表示する。図８では、カテゴリ「スイッチ」の１つのサブカテゴリ「付く+ない」に対応する代表語「コンピュータ」が入力装置４の操作によって選択されたために、そのサブカテゴリに属する合計１２個の文書のうち、「コンピュータ」を含む文書を別ウィンドウに表示している。これを実現するために、分類部８０は、各サブカテゴリの代表語毎に、その代表語を含む文書の文書ＩＤを記録した対応表を分類結果記憶部９０に記録し、ある代表語がユーザに選択されると前記対応表を参照してその代表語を含む文書の文書ＩＤを取得し、文書保持部１０からその文書ＩＤに対応する文書内容を読み込んで別ウィンドウに表示する。
【００４３】
図９に分類部８０が分類結果記憶部９０に記憶した分類結果を表示装置３に出力する方法の別の例を示す。この図９の出力方法では、カテゴリ欄に第１カテゴリである名詞句と、第２カテゴリである述語句を木構造で表示し、利用者が入力装置４の操作によって名詞句または述語句を選択すると、問い合わせ文欄に表示する文書をそのカテゴリに属する文書に切り替えるようにしている。
【００４４】
次に、図１０を参照して本実施の形態の動作を説明する。図１０は、本実施の形態の処理のフローチャートを示す。図１０のＳ１からＳ５のそれぞれのステップは、図１の形態素解析部２０、係り受け解析部３０、キーワード抽出部４０、共起表現抽出部６０および分類部８０の処理に対応している。ここで、ステップＳ２はステップＳ３の後、つまり図１０の順番以外でＳ１→Ｓ３→Ｓ２→Ｓ４→Ｓ５であってもよい。
【００４５】
図１０を参照すると、まず形態素解析部２０は、文書保持部１０から例えば図３に示したような複数の文書を受け取り、形態素解析により単語列に分割し、図４に示したような解析結果を生成する（ステップＳ１）。
【００４６】
次に係り受け解析部３０は、形態素解析部２０の各文書毎の解析結果を受け取り、解析結果中の単語を文節に纏め上げ、その文節間の係り受け関係を求め、例えば図５に示したような解析結果を生成する（ステップＳ２）。
【００４７】
次にキーワード抽出部４０は、形態素解析部２０から各文書毎の解析結果を受け取り、解析結果中の単語列に含まれる名詞句をキーワードとして選択する（ステップＳ３）。また、選択したキーワード（名詞句）が複数ある場合、キーワード（名詞句）間の優先度を決定する。キーワード抽出部４０で抽出されたキーワード（名詞句）はその優先度などとともにキーワード記憶部５０に図６（ａ）または（ｂ）に示したように記憶される。
【００４８】
次に共起表現抽出部６０は、キーワード記憶部５０よりキーワード（名詞句）を、係り受け解析部３０より文節間の係り受け関係をそれぞれ受け取り、キーワード（名詞句）に共起する述語句を共起表現として選択する（ステップＳ４）。また選択した共起表現（述語句）が複数ある場合、共起表現（述語句）間の優先度を決定する。共起表現抽出部６０で抽出された共起表現（述語句）はその優先度などとともに共起表現記憶部７０に図７に示したように記憶される。
【００４９】
次に分類部８０は、文書保持部１０に保持された文書集合をキーワード記憶部５０に記憶されたキーワード（名詞句）で第１カテゴリに分類し、次に第１カテゴリに所属する文書を、共起表現記憶部７０に記憶された前記キーワード（名詞句）に共起する述語句で第２カテゴリに分類し、その結果を分類結果記憶部９０に保存し、また分類結果記憶部９０に保存された分類結果を、図８または図９で説明したような出力方法で表示装置３に出力する（ステップＳ５）。
【００５０】
このように本実施の形態によれば、文書保持部１０の文書集合をキーワード抽出部４０によって抽出された名詞句で第１カテゴリに分類し、次に第１カテゴリに所属する文書を共起表現抽出部７０によって抽出された前記名詞句に対する述語句で第２カテゴリに分類するため、第１カテゴリに含まれるデータの数が増えても個々の第２カテゴリに所属するデータの数はそれほど増えず、然も、第１カテゴリの名詞句と第２カテゴリの述語句とには密接な関係があるため、問い合わせデータの検索や問い合わせデータの全体像把握が効率的に行える。例えば、図２１の場合、「スイッチ」のカテゴリに合計５８件の問い合わせデータが分類されているため、スイッチというキーワードを含む問い合わせデータの中から例えば、コンピュータのスイッチが付かないという問い合わせデータを探し出すのは容易でないが、図８に示したようにカテゴリ「スイッチ」にサブカテゴリ「付く+ない」がある場合、そのような問い合わせデータの探索がより簡単に行えることになる。
【００５１】
「第２の実施の形態」
図１４を参照すると、本発明の第３の実施の形態は、文書を記憶する文書記憶部１と、プログラム制御により動作するデータ処理装置２と、ディスプレイ装置等の表示装置３と、キーワードやマウス等の入力装置４とを備える。
【００５２】
データ処理装置２は、文書保持部１０と、形態素解析部２０と、係り受け解析部３０と、キーワード抽出部４０と、キーワード記憶部５０と、共起表現抽出部６０と、共起表現記憶部７０と、分類部８０と、分類結果記憶部９０と、類似キーワード検索部１１０と、類似キーワード記憶部１２０とを備える。このデータ処理装置２において、分類部８０と類似キーワード検索部１１０と類似キーワード記憶部１２０以外は、第１の実施の形態の図１の構成における文書保持部１０、形態素解析部２０、係り受け解析部３０、キーワード抽出部４０、キーワード記憶部５０、共起表現抽出部６０、共起表現記憶部７０と同じである。
【００５３】
類似キーワード検索部１１０は、共起表現記憶部７０に記憶されたキーワード（名詞句）とその共起表現（述語句）を受け取り、それぞれのキーワード（名詞句）に類似するキーワード（名詞句）を検索する。ここで、キーワードの類似性を判定する一つの方法（方法1）として、キーワードＡがキーワードＢを含む場合、または、キーワードＢがキーワードＡを含む場合に、キーワードＢをキーワードＡの類似キーワードとして判定する方法がある。例えば、共起表現記憶部７０に図１２に示すようなデータが記憶されているとした場合、キーワード「情報+検索」はキーワード「情報+検索+システム」を含むため、「情報+検索+システム」は「情報+検索」の類似キーワードとなる。一方、キーワード「検索」はキーワード「情報+検索」を含むため、「検索」は「情報+検索」の類似キーワードとなる。
【００５４】
また、キーワードの類似性を判定する別の方法として（方法2）、キーワードＡとキーワードＢとで共起する共起表現の種類が類似する場合に、キーワードＢをキーワードＡの類似キーワードとして判定する方法がある。例えば、図１５の場合では、キーワード「サーチエンジン」はキーワード「情報+検索」と出現する共起表現が一致するため、「サーチエンジン」は「情報+検索」の類似キーワードとなる。この例では、すべての共起表現が一致しているが、かならずしもその限りではなく、例えば、共起表現の優先度が高い上位ｎ番目までの共起表現が一致する場合、もしくは、一致する割合が一定以上の場合に類似キーワードとして判定しても良い。
【００５５】
類似キーワード記憶部１２０は、類似キーワード検索部１１０からキーワードとその類似キーワードを受け取り記憶する。図１３の（a）に、図１２に対する類似キーワード検索部１１０の方法１による結果を記憶した例を示す。同様に、図１３の（b）に、図１３に対する類似キーワード検索部１１０の方法２による結果を記憶した例を示す。
【００５６】
分類部８０は、文書保持部１０の文書集合をキーワード記憶部５０に記憶された名詞句によるキーワードでカテゴリに分類し、分類結果を分類結果記憶部９０に記憶する。そして、その分類結果を出力する際、分類部８０は、キーワードの名詞句と、類似キーワード記憶部１２０に記憶されたその名詞句のキーワードに類似する名詞句の関連キーワードとをあわせて表示装置３に出力する。
【００５７】
図１４に分類部８０が分類結果記憶部９０に記憶した分類結果を表示装置３に出力する方法の一例を示す。この図１４の出力方法では、カテゴリの名詞句の隣の列に類似キーワードを関連カテゴリとして表示し、そのさらに隣の列に文書内容を、さらに隣の列にデータ数を表示している。この図１４では、類似キーワード検索部１１０の方法１と方法２の両方の方式の結果を表示しているが、どちらか一方の方式の結果のみを表示しても良い。
【００５８】
図１５に分類部８０が分類結果記憶部９０に記憶した分類結果を表示装置３に出力する方法の別の例を示す。図１５では、カテゴリの名詞句の隣の列に類似キーワードを関連カテゴリとして表示しており、利用者が名詞句または関連キーワードを選択すると、問い合わせ文表示欄に表示する文書をそのカテゴリに属する文書に切り替える。
【００５９】
次に、図１６を参照して本実施の形態の動作を説明する。図１６は、本実施の形態の処理のフローチャートを示す。図１６のＳ１からのそれぞれのステップは、図１１の形態素解析部２０、係り受け解析部３０、キーワード抽出部４０、共起表現抽出部６０、類似キーワード検索部１１０、分類部８０の処理に対応している。ここで、ステップＳ２はステップＳ３の後、つまり図１６の順番以外でＳ１→Ｓ３→Ｓ２→Ｓ４→Ｓ７→Ｓ５であってもよい。
【００６０】
図１６を参照すると、まず形態素解析部２０は、文書保持部１０から例えば図３に示したような複数の文書を受け取り、形態素解析により単語列に分割し、図４に示したような解析結果を生成する（ステップＳ１）。
【００６１】
次に係り受け解析部３０は、形態素解析部２０の各文書毎の解析結果を受け取り、解析結果中の単語を文節に纏め上げ、その文節間の係り受け関係を求め、例えば図５に示したような解析結果を生成する（ステップＳ２）。
【００６２】
次にキーワード抽出部４０は、形態素解析部２０から各文書毎の解析結果を受け取り、解析結果中の単語列に含まれる名詞句をキーワードとして選択し、選択したキーワード（名詞句）が複数ある場合、キーワード（名詞句）間の優先度を決定する（ステップＳ３）。キーワード抽出部４０で抽出されたキーワード（名詞句）はその優先度などとともにキーワード記憶部５０に図６（ａ）または（ｂ）に示したように記憶される。
【００６３】
次に共起表現抽出部６０は、キーワード記憶部５０よりキーワード（名詞句）を、係り受け解析部３０より文節間の係り受け関係をそれぞれ受け取り、キーワード（名詞句）に共起する述語句を共起表現として選択し、選択した共起表現（述語句）が複数ある場合、共起表現（述語句）間の優先度を決定する（ステップＳ４）。共起表現抽出部６０で抽出された共起表現（述語句）はその優先度などとともに共起表現記憶部７０に図７に示したように記憶される。
【００６４】
次に類似キーワード検索部１１０は、共起表現記憶部７０に記憶されたキーワード（名詞句）とその共起表現（述語句）を受け取り、それぞれのキーワード（名詞句）に類似するキーワード（名詞句）を検索する（ステップＳ７）。類似キーワード検索部１１０で検索された各キーワード毎の類似キーワードは、類似キーワード記憶部１２０に図１３に示したように記憶される。
【００６５】
次に分類部８０は、文書保持部１０の文書集合をキーワード記憶部５０に記憶された名詞句によるキーワードでカテゴリに分類し、分類結果を分類結果記憶部９０に一旦記憶し、その後に表示装置３に表示する（ステップＳ８）。このとき分類部８０は、図１４または図１５に示したように、キーワードの名詞句と類似キーワード記憶部１２０に記憶されたその名詞句のキーワードに類似する名詞句の関連キーワードとをあわせて表示装置３に出力する。
【００６６】
このように本実施の形態によれば、キーワード抽出部４０によって抽出された名詞句のキーワードにあわせて、類似キーワード検索部１１０によって検索された類似キーワードをまとめて閲覧できるように表示するため、例えば、「価格」と「値段」、「電源」と「電源+スイッチ」のようにお互いに類似する別のカテゴリが存在する場合に、それらが別々に表示され、類似カテゴリが存在することがユーザにわからず問い合わせデータの全体像把握が効率的に行えない事態が防止でき、データの全体像把握が容易になる。
【００６７】
「第３の実施の形態」
図１７を参照すると、本発明の第３の実施の形態にかかる端末装置１０００は、キーワード分類装置１００１と、問い合わせデータ記憶部１００２と、表示装置１００３と、入力装置１００４とで構成される。キーワード分類装置１００１は、図１のデータ処理装置２または図１１のデータ処理装置２に相当する。問い合わせデータ記憶部１００２は、磁気ディスク等で構成され、企業のコンタクトセンターや自治体の問い合わせ窓口に寄せられた過去の大量の問い合わせデータ（その回答データも含む）を記憶している。表示装置１００３はＬＣＤ等のディスプレイ、入力装置１００４はキーワードやマウス等で構成される。
【００６８】
本実施の形態にかかる端末装置１０００は、企業のコンタクトセンターや自治体の問い合わせ窓口に設置される。問い合わせデータ記憶部１００２に記憶された問い合わせデータは、キーワード分類装置１００１内の文書保持部（図１または図１１の文書保持部）に取り込まれ、前述した実施の形態と同様にして分類処理され、分類結果が表示装置１００３に表示される。コンタクトセンターの担当者や自治体の問い合わせ窓口の担当者であるユーザ１００５は、表示装置１００３に表示された分類結果の中から、顧客より新たに提示された問い合わせに類似する事例を探し、それを参考に問い合わせに応答する。これにより、問い合わせに対して迅速な応答が可能となる。
【００６９】
「第４の実施の形態」
図１８を参照すると、本発明の第４の実施の形態にかかる端末装置２０００は、キーワード分類装置２００１と、問い合わせデータ記憶部２００２と、表示装置２００３と、入力装置２００４と、図形作成装置２００５とで構成される。キーワード分類装置２００１は、図１のデータ処理装置２に相当する。問い合わせデータ記憶部２００２は、磁気ディスク等で構成され、企業のコンタクトセンターや自治体の問い合わせ窓口に寄せられた過去の大量の問い合わせデータを記憶している。図形作成装置２００５は、キーワード分類装置２００１の分類結果からパレート図を作成して表示装置２００３に出力する装置である。表示装置２００３はＬＣＤ等のディスプレイ、入力装置２００４はキーワードやマウス等で構成される。
【００７０】
本実施の形態にかかる端末装置２０００は、マーケティング担当者２００６によって利用される。問い合わせデータ記憶部２００２に記憶された問い合わせデータは、キーワード分類装置２００１内の文書保持部（図１の文書保持部）に取り込まれ、前述した実施の形態と同様にして分類処理され、分類結果が図形作成装置２００５に出力される。
【００７１】
図形作成装置２００５は、分類結果からパレート図を作成し、表示装置１００３に表示する。マーケティング担当者２００６は、表示されたパレート図を参考に、問い合わせデータを分析し、その分析結果を製品開発等のマーケティングに利用する。
【００７２】
図形作成装置２００５が分類結果から作成したパレート図の具体例を図１９と図２０に示す。何れも図８に示される分類結果から作成されたものである。図１９のパレート図は、横軸にカテゴリの名詞句を列挙し、縦軸にデータ数をとり、各カテゴリに属するデータ数に比例した長さの棒グラフを描き、かつ、各棒グラフをサブカテゴリに属するデータ数に比例した幅で横に分割し、各分割領域にサブカテゴリの述語句を表示している。他方、図２０では、横軸にカテゴリの名詞句を列挙し、縦軸にデータ数をとり、各カテゴリに属するデータ数に比例した長さの棒グラフを描いた左側のパレート図を表示し、そのパレート図中の何れかの棒グラフが入力装置の操作で選択された場合に、そのカテゴリに属するデータ数をサブカテゴリ毎に棒グラフにした右側のパレート図を表示するものである。なお、各パレート図において折れ線は左側のカテゴリから順にデータ数を累積していった場合のデータ数の累積割合を示している。
【００７３】
このように本実施の形態の端末装置２０００によれば、問い合わせデータを分類してパレート図を効率的に作成することができる。
【００７４】
以上本発明の実施の形態について説明したが、本発明は以上の実施の形態にのみ限定されず、その他各種の付加変更が可能である。また、本発明のキーワード分類装置は、その有する機能をハードウェア的に実現することは勿論、コンピュータとキーワード分類プログラムとで実現することができる。キーワード分類プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施の形態における形態素解析部２０、係り受け解析部３０、キーワード抽出部４０、共起表現抽出部６０、分類部８０、類似キーワード検索部１１０等の機能手段として機能させる。
【産業上の利用可能性】
【００７５】
以上のように、本発明にかかるキーワード検索装置および方法は、企業のコンタクトセンターや自治体の問い合わせ窓口に寄せられた過去の大量の問い合わせデータから、問い合わせ窓口担当者が過去の類似問い合わせ事例を効率的に探したり、マーケティング担当者が、問い合わせデータを分類してパレート図を効率的に作成する装置および方法に用いるのに適している。
【図面の簡単な説明】
【００７６】
【図１】本発明の第１の実施の形態のブロック図である。
【図２】本発明の第１の実施の形態におけるキーワード抽出部と共起表現抽出部の構成例を示すブロック図である。
【図３】本発明の第１の実施の形態における文書保持部の記憶例を示す図である。
【図４】本発明の第１の実施の形態における形態素解析部の出力例を示す図である。
【図５】本発明の第１の実施の形態における係り受け解析部の出力例を示す図である。
【図６】本発明の第１の実施の形態におけるキーワード記憶部の記憶例を示す図である。
【図７】本発明の第１の実施の形態における共起表現記憶部の記憶例を示す図である。
【図８】本発明の第１の実施の形態における分類部の出力例を示す図である。
【図９】本発明の第１の実施の形態における分類部の別の出力例を示す図である。
【図１０】本発明の第１の実施の形態の動作を示す流れ図である。
【図１１】本発明の第２の実施の形態のブロック図である。
【図１２】本発明の第２の実施の形態における共起表現記憶部の記憶例を示す図である。
【図１３】本発明の第２の実施の形態における類似キーワード記憶部の記憶例を示す図である。
【図１４】本発明の第２の実施の形態における分類部の出力例を示す図である。
【図１５】本発明の第２の実施の形態における分類部の別の出力例を示す図である。
【図１６】本発明の第２の実施の形態の動作を示す流れ図である。
【図１７】本発明の第３の実施の形態のブロック図である。
【図１８】本発明の第４の実施の形態のブロック図である。
【図１９】本発明の第４の実施の形態における図形作成装置が作成するパレート図の一例を示す図である。
【図２０】本発明の第４の実施の形態における図形作成装置が作成するパレート図の別の例を示す図である。
【図２１】従来技術による問い合わせデータの分類結果を示す図である。
【符号の説明】
【００７７】
１…文書記憶部
２…データ処理装置
３…表示装置
４…入力装置
１０…文書保持部
２０…形態素解析部
３０…係り受け解析部
４０…キーワード抽出部
５０…キーワード記憶部
６０…共起表現抽出部
７０…共起表現記憶部
８０…分類部
９０…分類結果記憶部
１１０…類似キーワード検索部
１２０…類似キーワード記憶部
４０１…キーワード選択部
４０２…キーワード優先度判定部
６０１…共起表現選択部
６０２…共起表現優先度判定部
１０００、２０００…端末装置
１００１、２００１…キーワード分類装置
１００２、２００２…問い合わせデータ記憶部
１００３、２００３…表示装置
１００４、２００４…入力装置
１００５…ユーザ
２００５…図形作成装置
２００６…マーケティング担当者
【図１】
2006065366.tif 000003
【図２】
2006065366.tif 000004
【図３】
2006065366.tif 000005
【図４】
2006065366.tif 000006
【図５】
2006065366.tif 000007
【図６】
2006065366.tif 000008
【図７】
2006065366.tif 000009
【図８】
2006065366.tif 000010
【図９】
2006065366.tif 000011
【図１０】
2006065366.tif 000012
【図１１】
2006065366.tif 000013
【図１２】
2006065366.tif 000014
【図１３】
2006065366.tif 000015
【図１４】
2006065366.tif 000016
【図１５】
2006065366.tif 000017
【図１６】
2006065366.tif 000018
【図１７】
2006065366.tif 000019
【図１８】
2006065366.tif 000020
【図１９】
2006065366.tif 000021
【図２０】
2006065366.tif 000022
【図２１】
2006065366.tif 000023